(57)【要約】【課題】両端に自立可能な底部を備えた袋を用いて突き刺しチューブの突き刺しを安定良く行なえるようにした液体収納袋体を提供する。【解決手段】容器内にセットされ容器の上端口部に装着される液体取り出しポンプの突き刺しチューブが上から突き刺さり、液体取り出しポンプの動作により内部の液体が液体取り出しポンプのノズルより取り出される液体取り出し装置に使用される液体収納袋体７であって、袋本体８が合成樹脂フィルムを材料に用いて筒状となるように作られ、その胴部９の長さ方向両端である上下両端にスタンドパックの形態の下端の底部の形を呈する底部１０を備え、胴部９の長さ方向に沿う一側部に内容物の充填口１１を備えてなり、かかる袋本体８内には内容物である液体が充填され、充填口１１の入口部が閉じられた状態の袋本体８の胴部９を紐やリング１４などの締め付け手段で締め付け両端の底部１０が張った状態となるようにした。【選択図】図５
2010095277.tif 000002
【特許請求の範囲】
【請求項１】
容器内にセットされ容器の上端口部に装着される液体取り出しポンプの突き刺しチューブが上から突き刺さり、液体取り出しポンプの動作により内部の液体が液体取り出しポンプのノズルより取り出される液体取り出し装置に使用される液体収納袋体であって、袋本体が合成樹脂フィルムを材料に用いて筒状となるように作られ、その胴部の長さ方向両端である上下両端にスタンドパックの形態の下端の底部の形を呈する底部を備え、また胴部の長さ方向に沿う一側部に内容物の充填口を備えてなり、かかる袋本体内には内容物である液体が充填され、充填口の入口部が閉じられた状態において袋本体の胴部を紐などの締め付け手段で締め付け両端の底部が張った状態になっていることを特徴とする液体収納袋体。
【請求項２】
締め付け手段は外側に広がった後、復元するばね性を備えている１つ割り状のリングであることを特徴とする請求項１記載の液体収納袋体。
【請求項３】
締め付け手段は内径が窄まった後、外側に広がる方向に復元するばね性を備えている１つ割り状のリングであり、このリングの一端にリングの厚み方向に開口する孔部を形成し、リングの他端に前記孔部に内側から係止する係止爪を形成して、孔部に係止爪を係止させるように構成したことを特徴とする請求項１記載の液体収納袋体。
【請求項４】
締め付け手段は内径が窄まった後、外側に広がる方向に復元するばね性を備えている１つ割り状のリングであり、このリングの一端に端面で開口する孔部を形成するとともにこの孔部に連通するようにこの孔部の近傍でリングの外面に開口する孔部を形成してあり、一方リングの他端に外面に先端より膨らむように傾斜するテーパー状の係止爪を形成してあり、リングの他端の係止爪をリングの一端の端面で開口する孔部に差し込み、係止爪を押し込んでリングの外面に開口する孔部より突出させることにより孔部に係止爪を係止させるように構成したことを特徴とする請求項１記載の液体収納袋体。
【発明の詳細な説明】
【技術分野】
【０００１】
本発明は、容器の上端口部に取り付けられた液体取り出しポンプの突き刺しチューブが突き刺さり、液体取り出しポンプの動作により内部の液体が液体取り出しポンプのノズルより取り出されるようにした液体取り出し装置に使用される液体収納袋体に関するものである。
【背景技術】
【０００２】
従来から特許文献１に開示されているような両端に自立可能な底部を備え、両端の何れでも自立できるような筒状の形態を呈し、一側部に充填口を備えた袋が知られている。
上記特許文献１に開示されているような袋の場合、始めは扁平状態の袋の中に充填口より内容物を充填することにより袋は徐々に膨らむことになるが、充填中において袋は扁平状態に戻ろうと作用し、平面から見て完全な円形に近い形になるまで内容物を充填することは困難であった。つまり、袋の胴部は内容物によって外側に膨らむようには張っておらず、両端の底部も外側に張っておらずに、弛んだ状態となる。
【特許文献１】実開昭５７−８５４３６号公報
【発明の開示】
【発明が解決しようとする課題】
【０００３】
上記特許文献１に開示されているような袋に内容物を充填したものを用いて、容器内にセットし、容器の上端に取り付けられる液体取り出しポンプの突き刺しチューブを袋の上端に位置する底部に突き刺そうとしても袋の上端の底部が弛んでいるために突き刺しにくいという問題が生じる。
【０００４】
本発明の目的は、このような課題を解決するものであり、両端に自立可能な底部を備えた袋を用いて突き刺しチューブの突き刺しを安定良く行なえるようにした液体収納袋体を提供することにある。
【課題を解決するための手段】
【０００５】
本発明の請求項１に記載の液体収納袋体は、容器内にセットされ容器の上端口部に装着される液体取り出しポンプの突き刺しチューブが上から突き刺さり、液体取り出しポンプの動作により内部の液体が液体取り出しポンプのノズルより取り出される液体取り出し装置に使用される液体収納袋体であって、袋本体が合成樹脂フィルムを材料に用いて筒状となるように作られ、その胴部の長さ方向両端である上下両端にスタンドパックの形態の下端の底部の形を呈する底部を備え、また胴部の長さ方向に沿う一側部に内容物の充填口を備えてなり、かかる袋本体内には内容物である液体が充填され、充填口の入口部が閉じられた状態において袋本体の胴部を紐などの締め付け手段で締め付け両端の底部が張った状態になっていることを特徴とする。
【０００６】
請求項２に記載の液体収納袋体は、締め付け手段は外側に広がった後、復元するばね性を備えている１つ割り状のリングであることを特徴とする。
請求項３に記載の液体収納袋体は、締め付け手段は内径が窄まった後、外側に広がる方向に復元するばね性を備えている１つ割り状のリングであり、このリングの一端にリングの厚み方向に開口する孔部を形成し、リングの他端に前記孔部に内側から係止する係止爪を形成して、孔部に係止爪を係止させるように構成したことを特徴とする。
【０００７】
請求項４に記載の液体収納袋体は、締め付け手段は内径が窄まった後、外側に広がる方向に復元するばね性を備えている１つ割り状のリングであり、このリングの一端に端面で開口する孔部を形成するとともにこの孔部に連通するようにこの孔部の近傍でリングの外面に開口する孔部を形成してあり、一方リングの他端に外面に先端より膨らむように傾斜するテーパー状の係止爪を形成してあり、リングの他端の係止爪をリングの一端の端面で開口する孔部に差し込み、係止爪を押し込んでリングの外面に開口する孔部より突出させることにより孔部に係止爪を係止させるように構成したことを特徴とする。
【発明の効果】
【０００８】
以上のように、本発明の液体収納袋体は、胴部の長さ方向両端である上下両端にスタンドパックの形態の下端の底部の形を呈する底部を備え内部に内容物である液体が充填されてなる袋本体の胴部を紐や１つ割り状のリングなどの締め付け手段で締め付け両端の底部が張った状態となっているので突き刺しチューブの突き刺しが容易に行なえることになる。
【発明を実施するための最良の形態】
【０００９】
以下、本発明の実施の形態を、図面を用いて具体的に説明する。
先ず、図１〜図７に示す第１の実施の形態について説明すると、１は上端が開口する縦長の合成樹脂製の容器本体で、この容器本体１の上端開口部は容器本体１と同様の合成樹脂製からなり容器本体１の胴部１ａに被さる蓋体２によって閉じられ、容器を構成している。なお、蓋体２の下端内面には容器本体１の下端外面に形成されている雄ねじ部３に螺合する雌ねじ部４が形成されており、雌ねじ部４を雄ねじ部３に螺合させることにより容器本体１の上端が蓋体２で閉じられることになる。蓋体２の上端口部２ａには液体取り出し部となる液体取り出しポンプ５が螺合することにより装着される。液体取り出しポンプ５には前記容器本体１内に下向きに突出する突き刺しチューブ６を備え、この突き刺しチューブ６は容器本体１内にセットされる液体収納袋体７（詳細は後述する）の上端に突き刺さり、液体取り出しポンプ５の動作により液体収納袋体７内部の液体が液体取り出しポンプ５のノズル５ａより取り出されるようにした液体取り出し装置が構成される。
【００１０】
ところで、前記液体収納袋体７の袋本体８は合成樹脂フィルムを材料に用いて筒状となるように作られ、その胴部９の長さ方向両端である上下両端に、スタンドパックの形態の袋に備わる下端の底部の形をした底部１０を備え、またその長さ方向に沿う一側部の中央部に内容物の充填口１１を備えている。なお、内容物充填前は袋本体８が扁平状態であるがために前記底部１０も折り畳まれて膨らんだ状態とはなっていない。図中、１２は袋本体８のヒートシール部である。
【００１１】
上記の袋本体８の内部に内容物である洗剤やシャンプー、リンスなどの液体を充填するときは袋本体８の長さ方向が水平方向に向き、充填口１１が上に向くように袋本体８を位置決めし、かかる状態で充填口１１より内容物を充填するのである。内容物充填後は充填口１１の入口部をヒートシールにより閉じるのである。１３はそのヒートシール部である。
【００１２】
袋本体８を長さ方向が水平方向に向くようにして内容物を充填するとき、始めは袋本体８は扁平状態であり、充填口１１より内容物を充填することにより袋本体８は徐々に膨らむことになるが、充填中において袋本体８は扁平状態に戻ろうと作用し、袋本体８の胴部９が完全な円筒状に近い形になるまで内容物を充填することは困難であり、胴部９や底部１０が弛んだ状態となる。
【００１３】
つまり、内容物が充填された袋本体８を立てた状態で容器内にセットしたとき、袋本体８の胴部９や底部１０に張りがなく、前記液体取り出しポンプ５の突き刺しチューブ６で袋本体８の上端に位置する底部１０に突き刺すときに突き刺しチューブ６で底部１０が押されて沈むため、突き刺しチューブ６が底部１０に突き刺しにくいという問題がある。そこで、本実施の形態では内容物が充填された袋本体８の胴部９の外側に内容物が充填された袋本体８を外側から絞るように合成樹脂あるいは金属からなるリング１４を被せ、胴部９を締め付けることにより両端の底部１０が張った状態の液体収納袋体７が完成する。なお、前記リング１４は１つ割り状のリングで、ばね性を備え、外側に広がった後、復元する性質を備えている。
【００１４】
上記のようにリング１４で胴部９が絞られてなる液体収納袋体７は前記両端の底部１０が上下に位置するように立てた状態で容器本体１内にセットされ、上端口部２ａに液体取り出しポンプ５が螺合して装着された蓋体２によって容器本体１の上端を閉じる。そのとき、液体取り出しポンプ５から下向きに突出する突き刺しチューブ６を液体収納袋体７の袋本体８の上端に位置する底部１０に上から突き刺す。そのとき、前記上端に位置する底部１０は張った状態となっているので突き刺しチューブ６の突き刺しが容易に行なえることになる。
【００１５】
なお、液体収納袋体７には胴部９の長さ方向両端である上下両端にスタンドパックの形態の下端の底部の形を呈する底部１０を備えており、少なくとも上端に位置する底部１０は突き刺しチューブ６を突き刺しやすい材料を使用することが必要であるが、上下両端の底部１０共に突き刺しチューブ６を突き刺しやすい材料を使用することも可能で、これにより、液体収納袋体７を上下何れに向けても突き刺しチューブ６の突き刺しが可能となり、その結果液体収納袋体７の長さ方向の何れの一端が上端に位置するように容器内に液体収納袋体７をセットすることができて容器内へのセット時の方向性が無くなる。
【００１６】
次に、図８および図９に示す第２の実施の形態について説明すると、前記第１の実施の形態では内容物が充填された袋本体８を外側から絞る１つ割り状のリング１４の両端は離れた状態にしているが、第２の実施の形態では１つ割り状のリング１４の両端は内容物が充填された袋本体８を外側から絞った状態で互いに結合させるようにしている。１つ割り状のリング１４の両端の結合構造としては、リング１４の一端にリング１４の厚み方向に開口する孔部１５を形成し、リング１４の他端に前記孔部１５に内側から係止する係止爪１６を形成して、孔部１５に係止爪１６を係止させるようにしている。このようにリング１４の両端を係止させる構成であれば、リング１４は第１の実施の形態のように外側に広がった後、復元する性質を備えなくて良い。逆に、第２の実施の形態のリング１４は内径が窄まった後、外側に広がる方向に復元するばね性を備えておれば良い。
【００１７】
次に、図１０および図１１に示す第３の実施の形態について説明すると、前記第２の実施の形態では内容物が充填された袋本体８を外側から絞る１つ割り状のリング１４の両端の結合構造としては、リング１４の一端にリング１４の厚み方向に開口する孔部１５を形成し、リング１４の他端に孔部１５に内側から係止する係止爪１６を形成して、孔部１５に係止爪１６を係止させるようにしているが、第３の実施の形態ではリング１４の一端に端面で開口する孔部１７を形成するとともにこの孔部１７に連通するように孔部１７の近傍でリング１４の外面に開口する孔部１８を形成してあり、一方リング１４の他端に外面に先端より膨らむように傾斜するテーパー状の係止爪１９を形成してあり、リング１４の他端の係止爪１９をリング１４の一端の端面で開口する孔部１７に差し込み、係止爪１９を押し込んでリング１４の外面に開口する孔部１８より突出させることにより孔部１８に係止爪１９を係止させるようにしている。このようにリング１４の両端を係止させる構成であれば、リング１４は第１の実施の形態のように外側に広がった後、復元する性質を備えなくて良い。逆に、第３の実施の形態のリング１４は第２の実施の形態のリング１４と同様に内径が窄まった後、外側に広がる方向に復元するばね性を備えておれば良い。
【００１８】
ところで以上述べた第１〜第３の実施の形態のように袋本体８を外側から絞るように胴部９を締め付けるリング１４の幅は胴部９の長さに応じて適宜決定すれば良い。
また、上記したリング１４を締め付け手段として用いる代わりに、布あるいは樹脂製などの紐を用い、この紐により内容物が充填された袋本体を外側から絞り、胴部を締め付けることにより両端の底部が外側に膨らみ張った状態になる液体収納袋体とすることも可能である。
【図面の簡単な説明】
【００１９】
【図１】本発明の第１の実施の形態における液体取り出し装置の容器本体、蓋体、液体取り出しポンプ、液体収納袋体の組み合わせ前の斜視図である。
【図２】同液体収納袋体の袋本体の液体充填前の状態を示す斜視図である。
【図３】同液体収納袋体の袋本体の斜視図である。
【図４】同液体収納袋体の袋本体を絞るリングの斜視図である。
【図５】同袋本体とリングを組み合わせて完成した液体収納袋体の斜視図である。
【図６】同液体収納袋体を容器本体内にセットし蓋体を閉じた後液体取り出しポンプの突き刺しチューブを袋本体の上端底部に突き刺す状態を示す断面図である。
【図７】同取り出しポンプの突き刺しチューブを袋本体の上端底部に突き刺した使用可能な状態を示す断面図である。
【図８】本発明の第２の実施の形態における液体収納袋体の袋本体を絞るリングの斜視図である。
【図９】同袋本体とリングを組み合わせて完成した液体収納袋体の斜視図である。
【図１０】本発明の第３の実施の形態における液体収納袋体の袋本体を絞るリングの斜視図である。
【図１１】同袋本体とリングを組み合わせて完成した液体収納袋体の斜視図である。
【符号の説明】
【００２０】
１      容器本体
２      蓋体
２ａ    上端口部
３      雄ねじ部
４      雌ねじ部
５      液体取り出しポンプ
５ａ    ノズル
６      突き刺しチューブ
７      液体収納袋体
８      袋本体
９      胴部
１０      底部
１１      充填口
１２      ヒートシール部
１３      ヒートシール部
１４      リング
１５      孔部
１６      係止爪
１７      孔部
１８      孔部
１９      係止爪
【図１】
2010095277.tif 000003
【図２】
2010095277.tif 000004
【図３】
2010095277.tif 000005
【図４】
2010095277.tif 000006
【図５】
2010095277.tif 000007
【図６】
2010095277.tif 000008
【図７】
2010095277.tif 000009
【図８】
2010095277.tif 000010
【図９】
2010095277.tif 000011
【図１０】
2010095277.tif 000012
【図１１】
2010095277.tif 000013